(57)【要約】【課題】簡易な構造で汎用性があり、マーカーの取り付け取り外しが容易なマーカー差しの提供。【解決手段】このマーカー差し２は、マーカーの小キャップ６４を固定しうる爪本体８と、この爪本体８と小キャップ６との間隔を拡大又は縮小する調整機構６８として機能している本体プレート４、爪ガイド６、爪基部１０及びつまみ１２とを備えている。爪ガイド６は、軸線Ｌを中心とする爪孔を備えている。爪基部１０とつまみ１２とは、軸線Ｌを軸線方向にしてねじ締結されている。つまみ１２は、軸線Ｌの方向の移動が規制されている。爪本体８が爪基部１０から上端に向かって、軸線Ｌから離れる向きに広がりながら起立している。爪孔に爪本体８が通されている。爪本体８の外側面５３が爪孔の内周面に当接している。【選択図】図１
0003152816.tif 000002
【実用新案登録請求の範囲】
【請求項１】
マーカーのキャップを固定しうる爪本体と、
この爪本体とキャップとの間隔を拡大又は縮小しうる調整機構とを備えたマーカー差し。
【請求項２】
本体プレート、爪ガイド、爪本体、爪基部及びつまみを備えており、
この爪ガイドが本体プレートに固定されており、
この爪ガイドが上下方向の軸線Ｌを中心とする爪孔を備えており、
この爪基部とつまみとがこの軸線Ｌを軸線方向にしてねじ締結されており、
このつまみが軸線Ｌの方向の移動が規制されるように取り付けられており、
この爪本体が爪基部から上端に向かって、軸線Ｌから離れる向きに広がりながら起立しており、
この爪本体の先端に軸線Ｌに向かって延びる爪が形成されており、
この爪孔に爪本体が通されており、爪本体の外側面が爪孔の内周面に当接しているマーカー差し。  
【請求項３】
上記爪ガイドの爪孔の内周面にガイド溝が形成されており、
このガイド溝が上記軸線Ｌの方向に延びており、
このガイド溝の巾Ｗ１が爪本体の巾Ｗ２より大きく、
この爪本体の外側面がこのガイド溝の底面に当接しており、
このガイド溝が爪本体の円周方向の移動を規制するように構成されている請求項２に記載のマーカー差し。
【請求項４】
マーカーガイドを備えており、
このマーカーガイドが本体プレートに固定されており、
このマーカーガイドが上記軸線Ｌを中心とするマーカー孔を備えており、
このマーカー孔にマーカー本体が通されるように構成されている請求項２又は３に記載のマーカー差し。
【請求項５】
上記爪の先端の形状が上記軸線Ｌの方向に見て円弧形状である請求項２から４のいずれかに記載のマーカー差し。
【考案の詳細な説明】
【技術分野】
【０００１】
本考案は、マーカー差しに関する。詳細には、本考案は、マジックペン等キャップ付き筆記具を保持するためのマーカー差しに関する。
【背景技術】
【０００２】
建築現場や測量現場では、マーカーとして筆記具が携帯され使用される。この筆記具は、腰袋や作業服のポケットに収容される。この筆記具は、現場作業で寸法測定その他のマーキング作業等に使用される。筆記具を使用するときに、作業者は、腰袋やポケットから筆記具を取り出す。腰袋やポケットには、他の工具も収容されている。筆記具は、他の工具に紛れ込んでいる。作業者は、筆記具を手探りで探し出す。探りあてるのに時間がかかる。また、筆記具を取り出す際に、他の工具が筆記具と一緒に取り出されてしまう。筆記具を取り出す作業に手間取る。
【０００３】
特開２００５−２７１５７１号公報には、ペンホルダーが開示されている。このペンホルダーは、ペン専用の収容筒を備えている。このペンホルダーでは、ペンが簡単に出し入れ出来る。また、この収容筒は、ペンのキャップとしても機能しうる。作業者がペンをペンホルダーから取り出すことで、キャップを取り外す手間が省かれている。
【先行技術文献】
【特許文献】
【０００４】
【特許文献１】特開２０００−３９３２３号公報
【考案の概要】
【考案が解決しようとする課題】
【０００５】
このペンホルダーは、様々なペンの形状に合わせて製作する必要がある。このペンホルダーは、汎用性に劣る。また、このペンホルダーでは、ペンのキャップが外された状態でペンが保持される。ペンホルダーに保持されたペンを他のペンに取り換えるときに、取り外されたペンのキャップが紛失していることがある。取り外したペンは、キャップ無しでは、直ぐに書けなくなってしまう。
【０００６】
本考案の目的は、簡易な構造で汎用性があり、マーカーの取り付け取り外しが容易なマーカー差しの提供にある。
【課題を解決するための手段】
【０００７】
本考案に係るマーカー差しは、マーカーのキャップを固定しうる爪本体と、この爪本体とキャップとの間隔を拡大又は縮小しうる調整機構とを備えている。
【０００８】
本考案に係るマーカー差しは、本体プレート、爪ガイド、爪本体、爪基部及びつまみを備えている。この爪ガイドは、本体プレートに固定されている。この爪ガイドは、上下方向の軸線Ｌを中心とする爪孔を備えている。この爪基部とつまみとは、この軸線Ｌを軸線方向にしてねじ締結されている。このつまみは、軸線Ｌの方向の移動が規制されるように取り付けられている。この爪本体が爪基部から上端に向かって、軸線Ｌから離れる向きに広がりながら起立している。この爪本体の先端に軸線Ｌに向かって延びる爪が形成されている。この爪孔に爪本体が通されている。爪本体の外側面が爪孔の内周面に当接している。
【０００９】
好ましくは、上記爪ガイドの爪孔の内周面に、ガイド溝が形成されている。このガイド溝は、上記軸線Ｌの方向に延びている。このガイド溝の巾Ｗ１は、爪本体の巾Ｗ２より大きい。この爪本体の外側面は、このガイド溝の底面に当接している。このガイド溝は、爪本体の円周方向の移動を規制するように構成されている。
【００１０】
好ましくは、このマーカー差しは、マーカーガイドを備えている。このマーカーガイドは、本体プレートに固定されている。このマーカーガイドは、上記軸線Ｌを中心とするマーカー孔を備えている。このマーカー孔にマーカー本体が通されるように構成されている
。好ましくは、上記爪の先端の形状は、上記軸線Ｌの方向に見て円弧形状である
【考案の効果】
【００１１】
本考案に係るマーカー差しは、種々の形状のマーカーのキャップが保持可能とされている。このマーカー差しは、種々の形状のマーカーが取り付け取り外し可能にされている。このマーカー差しは、マーカーのキャップがマーカー差しのキャップとして使用される。キャップがなくなることがない。このマーカー差しは、簡単な構造で安価に製作出来る。
【図面の簡単な説明】
【００１２】
【図１】図１は、本考案の一実施形態に係るマーカー差しの正面図である。
【図２】図２（ａ）は図１のマーカー差しのガイド部品の平面図であり、図２（ｂ）はそのガイド部品の正面図であり、図２（ｃ）はそのガイド部品の底面図である。
【図３】図３は、図１のIII−III線に沿った断面図である。。
【図４】図４は、図１のマーカー差しの爪の先端部が示された斜視図である。
【図５】図５は、図１のマーカー差しの使用状態が示された部分断面図である。
【図６】図６は、図１のマーカー差しの他の使用状態が示された部分断面図である。
【考案を実施するための形態】
【００１３】
以下、適宜図面が参照されつつ、好ましい実施形態に基づいて本考案が詳細に説明される。
【００１４】
図１に示すように、このマーカー差し２は、本体プレート４、爪ガイド６、複数の爪本体８、爪基部１０、つまみとしてのちょうナット１２、マーカーガイド１４及びベルト通し１６を備えている。説明の便宜上、図１の上下方向を上下方向とし、左右方向を左右方向として説明がされる。
【００１５】
この本体プレート４は、上下方向に延びる主部１８と、この主部１８の下端から右向きに延びている底部２０と、この底部２０の右端から上方に延びる一端部２２と、主部１８の上端から上向きに延びる他端部２４とからなる。この主部１８の上端は、左斜め上向きに屈曲して延びている。この本体プレート４は、鋼板からなる。
【００１６】
この本体プレート４の他端部２４には、ベルト通し１６が取り付けられている。ベルト通し１６に、図示されない腰ベルトが通されるベルト通し孔２６が形成されている。このベルト通し１６の一端部２８と他端部３０とは、重ね合わされている。この一端部２８及び他端部３０は、本体プレート４の他端部２４に回動可能に取り付けられている。このベルト通し１６は、本体プレート４に対して、左右方向を回転軸として回動可能に取り付けられている。
【００１７】
図２には、このマーカー差し２のガイド部品３２が示されている。このガイド部品３２は、ガイド基部３４、爪ガイド６及びマーカーガイド１４からなる。図２（ｂ）に示すように、上下方向に伸びるガイド基部３４の下端から、爪ガイド６が右向きに起立している。この基部３４の上端から、マーカーガイド１４が右向きに起立している。爪ガイド６とマーカーガイド１４とは、左右方向に平行に延びている。このガイド基部３４と爪ガイド６とマーカーガイド１４とは、一体に形成されている。
【００１８】
爪ガイド６には、爪孔３６が形成されている。この爪孔３６の軸線の方向は、上下方向にされている。図２の一点鎖線Ｌは、この爪孔３６の軸線を示している。この爪孔３６は、内周面３８を有している。この爪孔３６の内周面３８には、ガイド溝４０が形成されている。この内周面３８には、３つのガイド溝４０が形成されている。このガイド溝４０は、軸線Ｌの方向に延びている。このガイド溝４０は、図２（ｃ）に示されるように、爪孔３６の径方向内向きに面する底面４２と、この底面４２の円周方向両端から爪孔３６の内周面３８に至る側面４４とから形成されている。このガイド溝４０では、側面４４は、爪孔３６の円周方向に垂直な平面で形成されている。図２（ｃ）の両矢印Ｗ１は、このガイド溝４０の巾を示している。
【００１９】
マーカーガイド１４には、マーカー孔４６が形成されている。このマーカー孔４６の軸線の方向は、軸線Ｌの方向に一致している。マーカー孔４６の軸線は、軸線Ｌの延長線上に位置している。図１に示されるように、マーカー孔４６は、上端が広く、下端が狭くされている。マーカー孔４６の内周面４８は、テーパ面で形成されている。このガイド基部３４が本体プレート４の主部１８に固定されている。ガイド部品３２は、軸線Ｌを上下方向にされて固定されている。爪ガイド６の右端は、本体プレート４の一端部２２に下方から支持されている。
【００２０】
爪本体８及び爪基部１０は、弾力性に優れた金属からなる。この爪本体８及び爪基部１０は、ばね鋼からなる。爪基部１０は、板５０と雄ねじ５２とからなる。この雄ねじ５２は、板５０の下面中央から下向きに延びている。雄ねじ５２は、軸線Ｌの方向を軸線として延びている。この雄ねじ５２は、軸線Ｌ上に位置している。この雄ねじ５２の外周面にねじが切られている。この雄ねじ５２は、本体プレート４の底部２０を貫通している。この雄ねじ５２には、ちょうナット１２がねじ締結されている。この軸線Ｌを軸線方向として、雄ねじ５２とちょうナット１２とがねじ締結されている。ここでは、爪基部１０に雄ねじ５２を形成し、つまみとしてのちょうナット１２に雌ねじを形成しているが、爪基部１０に雌ねじを形成し、つまみに雄ねじを形成しても良い。つまみに雄ねじを形成する場合には、つまみの雄ねじが上方に向けて底部２０を貫通する。
【００２１】
爪本体８は、この板５０の上面縁部から上向き延びている。この爪本体８は、軸線Ｌと間隔を開けて配置されている。爪本体８は、軸線Ｌから離れて配置されている。この爪本体８は、板５０から上方に向かって、軸線Ｌから離れる向きに広がりながら延びている。言いかえると、爪本体８は、爪基部１０から上端に向かって軸線Ｌから離れる向きに広がりながら起立している。爪孔３６の径方向における、この爪本体８の外側面５３が、爪基部１０から上端に向かって軸線Ｌから離れる向きに延びている。この爪本体８の上端には、爪５４が形成されている。この爪５４の先端５６は、軸線Ｌに向かって形成されている。この爪５４は、先端５６に向かって徐々に上下方向の厚みが小さくされている。この先端５６は、上下方向に徐々にその厚みが小さくされて尖っている。
【００２２】
図３は、図１のIII−III線に沿った断面図である。図３に示されるように、この板５０は円板である。この板５０の縁部から３つの爪本体８が起立している。３つの爪本体８が軸線Ｌを中央にして配置されている。この爪本体８が、ガイド溝４０を通されている。この爪本体８の外側面５３が、ガイド溝４０の底面４２に当接させられている。図３の両矢印Ｗ２は、爪本体８の巾を示している。このガイド溝４０の巾Ｗ１は、この爪本体８の巾Ｗ２より大きい。この爪本体８は、ガイド溝４０により、爪孔３６の円周方向の移動が規制されている。このガイド溝４０は、必ずしも設ける必要はない。この爪本体８が爪孔３６を通されて、爪本体８の外側面５３が爪孔３６の内周面３８に当接させられてもよい。
【００２３】
図４は、この爪５４の斜視図である。前述のように、この爪５４の先端５６は上下方向の厚みが徐々に小さくされて尖っている。この先端５６は巾Ｗ２の方向で中央が両端５８に比べて凹んでいる。この先端５６は、軸線Ｌの方向に見て（平面視）、円弧形状にされている。この先端５６は、爪孔３６の円周方向両端５８が尖っている。言いかえると、この先端５６の巾Ｗ２方向両端５８が尖っている。
【００２４】
次に、このマーカー差し２の使用方法が説明される。図１のベルト通し孔２６に腰ベルトが通される。これにより、このマーカー差し２が、腰ベルトに吊り下げられる。図１のの二点鎖線は、マーカー６０を示している。このマーカー６０は、マーカー本体６２、小キャップ６４及び大キャップ６６を備えている。
【００２５】
図５（ａ）には、小キャップ６４の先端がマーカー孔４６に通される前の状態が示されている。図５（ｂ）には、小キャップ６４の先端がマーカー孔４６に通されて、小キャップ６４の先端が爪５４より下方に位置させらている状態が示されている。図５（ｃ）には、小キャップ６４に爪５４の先端５６がくい込んだ状態が示されている。
【００２６】
図５（ａ）に示されるように、マーカー６０の小キャップ６４の先端がマーカー孔４６に通される。この内周面４８がテーパ面で形成されているので、マーカー６０のマーカー孔４６への挿入が容易になっている。更に、この小キャップ６４の先端が爪基部１０に向かって通される。マーカー６０は、小キャップ６４の先端が爪５４より下方に位置させらている状態まで挿入される。これにより、図５（ｂ）に示される状態に至る。この状態で、マーカー孔４６は、マーカー本体６２の外周面をガイドしている。
【００２７】
図５（ｂ）に示された状態で、ちょうナット１２が締め付けられる。ちょうナット１２は、本体プレート４の底部２０により、上方への移動が規制されている。即ち、ちょうナット１２は、軸線Ｌの方向の移動が規制されている。このちょうナット１２が締め付けられることにより、爪基部１０が下方に移動する。これにより、爪本体８も下方に移動する。
【００２８】
前述のように、爪本体８の外側面５３が、ガイド溝４０の底面４２に当接させられている。これにより、外側面５３が底面４２と摺動しながら、爪本体８が下方に移動する。この爪本体８は、爪基部１０から上端に向かって軸線Ｌから離れる向きに広がりながら起立している。これにより、爪本体８は下方に移動しながら、径方向内向きに絞られる。言いかえると、爪本体８は軸線Ｌに向かって移動する。爪５４が軸線Ｌに向かって移動する。爪５４の先端５６が小キャップ６４にくい込む。
【００２９】
このマーカー差し２は、３つの爪本体８を備えている。この３つの爪５４が爪孔３６の円周方向に等間隔で並んでいる。図５（ｃ）で省略された他の２つの爪本体８も、軸線Ｌに向かって移動する。他の２つの爪５４も軸線Ｌに向かって移動する。３つの爪５４の先端５６が、爪孔３６の中心に向かって移動する。これらの先端５６が、小キャップ６４に向かって移動する。３つの爪５４の先端５６が、同時に小キャップ６４にくい込む。マーカー差し２は、図５（ｃ）の状態に至る。
【００３０】
図６（ａ）では、マーカー差し２がマーカー６０を保持している。図６（ｂ）では、マーカー差し２に保持された小キャップ６４と、その小キャップ６４が取り外されたマーカー本体６２とが示されている。
【００３１】
図６（ａ）のマーカー本体６２が掴まれる。マーカー本体６２が、上方に引き上げられる。小キャップ６４が、マーカー差し２に係止されている。マーカー本体６２から小キャップ６４が外れて、マーカー本体６２が引き上げられる。図６（ｂ）に示されるように、マーカー差し２に保持されている小キャップ６４が、マーカー本体６２から外れる。このマーカー差し２では、マーカー本体６２が片手で取り出せる。このマーカー本体６２は、小キャップ６４が外された状態で取り出せる。
【００３２】
このマーカー本体６２が、マーキングに使用される。使用されたマーカー本体６２が、マーカー差し２に戻される。図６（ｂ）の状態から、マーカー本体６２が、マーカーガイド１４のマーカー孔４６に案内されてマーカー差し２に挿入される。マーカー本体６２の先端が、小キャップ６４に挿入される。こうして、図６（ａ）の状態に戻る。
【００３３】
次に、マーカー差し２から、マーカー６０を取り外す方法が説明される。図５（ｃ）の状態で、この爪本体８は、ガイド溝４０の底面４２により、軸線Ｌに近づく向きに押し付けられている。爪本体８及び爪基部１０は弾性変形している。このちょうナット１２が弛められる。爪基部１０が上方への移動可能になる。弾性変形した爪本体８及び爪基部１０が元の位置に戻ろうとする。爪５４が軸線Ｌから離れる向きに広がる。この爪本体８の上端が広がることで、爪基部１０が上方に移動させられている。更にちょうナット１２が弛められると、爪本体８の上端が広がりながら、爪基部１０が更に上方に移動させられる。こうして、図５（ｂ）の状態に至る。
【００３４】
このマーカー差し２では、３つの爪本体８の相互の間隔を拡張又は縮小し得る。この縮小により、小キャップ６４の外面を３つの爪本体８が掴んでいる。この拡張により、小キャップ６４の外面から３つの爪本体８が外れている。本体プレート４、爪ガイド６、爪基部１０及びつまみとしてのちょうナット１２が、爪本体８と小キャップ６との間隔を拡張又は縮小し得る調整機構６８として機能している。
【００３５】
この図５（ｂ）の状態では、爪５４は、小キャップ６４への係止がされていない。このマーカー６０が上方に抜き取られる。こうして、図５（ａ）の状態に至る。このマーカー６０が抜き取られた後に、他のマーカーが、このマーカー差し２に取り付けられる。このマーカー６０の大キャップ６６が、マーカー孔４６から挿入されてもよい。この大キャップ６６が、前述の小キャップ６４と同様に保持されうる。
【００３６】
このマーカー差し２では、複数の爪５４が爪孔３６の円周方向に並んでいるが、この爪５４の円周方向の間隔は、必ずしも等間隔でなくてもよい。複数の爪５４が、小キャップ６４挟み込むようにして、小キャップ６４が固定されてもよい。更には、本体プレート４に固定された固定壁を備え、この固定壁と爪５４とで小キャップ６４が挟み込むように構成されてもよい。
【００３７】
このマーカー差し２では、３つの爪５４の先端５６が小キャップ６４の円周方向に等間隔に並んで、小キャップ６４にくい込んでいる。このマーカー差し２は、マーカー６０を確実に保持している。この観点から、２以上の複数の爪５４が、爪孔３６の円周方向に等間隔に並ぶように構成される。好ましくは、３以上の爪５４が爪孔３６の円周方向に等間隔で並んぶように構成される。一方で、爪５４の数が少ないマーカー差し２では、爪５４が容易に精度よく配置できる。この観点から、好ましくは、５以下の爪５４が爪孔３６の円周方向に等間隔で並んぶように構成される。
【００３８】
爪本体８がガイド溝４０に案内されているので、ちょうナット１２と供回りすることが抑制されている。このマーカー差し２は、より容易に爪５４によりマーカー６０が保持され得る。このマーカー差し２は、好ましい実施形態を説明したもので、爪本体８の外側面５３が、爪孔３６の内周面３８に当接されてもよい。その様に構成しても、爪５４によりマーカー６０が保持され得る。この考案の効果が得られ得る。
【００３９】
この爪５４の先端５６は、爪孔３６の円周方向両端５８が尖っているので、この両端５８が小キャップ６４にくい込む。両端５８がくい込むことで、爪５４は小キャップ６４に確実に係止されている。爪５４は、小キャップ６４を確実に保持している。図５（ｃ）の状態で、小キャップ６４の回止めが確実にされている。
【００４０】
マーカーガイド１４のマーカー孔４６が、マーカー本体６２をガイドしている。このマーカー孔４６が、マーカー本体６２を爪孔３６の軸線方向以外に移動させることを規制している。これにより、マーカー差し２にマーカー６０が、容易に取り付け取り外し出来る。また、マーカー差し２に保持された小キャップ６４から、マーカー本体６２が容易に取り外される。この小キャップ６４に、マーカー本体６２が容易に取り付けられる。また、爪本体８及び爪５４に、爪孔３６の径方向の外力が加わることが抑制されている。これにより、爪本体８及び爪５４の損傷が抑制されている。また、小キャップ６４の損傷が抑制されている。更に、このマーカー差し２では、本体プレート４がベルト通し１６に対して回動可能とされているので、爪本体８、爪５４及び小キャップ６４の損傷がよい一層抑制されている。
【００４１】
図６（ａ）に示されるように、この爪５４は、小キャップ６４にくい込んでいる。この爪５４は、軸線Ｌ方向おいて小キャップ６４の全長にわたりいずれの部分にくい込むように構成されてもよい。更には、この爪５４が、小キャップ６４の上方端面に係止されるように構成されてもよい。図６（ａ）では、この爪５４は、小キャップ６４の下方にくい込んでいる。具体的には、この爪５４は、軸線Ｌ方向おいて小キャップ６４の底から高さの１／３までの部分にくい込むように構成されることが好ましい。これにより、小キャップ６４の変形が抑制されている。小キャップ６４の変形が抑制されているので、マーカー６２から小キャップ６４が取り外し難くなることが抑制されている。
【００４２】
このマーカー差し２は、マーカー６０の小キャップ６４を保持している。マーカー６０の元元の小キャップ６４が、キャップとして用いられている。マーカー６０が取り換えられるときに、小キャップ６４が取り外される。このマーカー差し２では、元々のキャップが紛失されることが抑制されている。
【００４３】
このマーカー差し２は、図１の大キャップ６６を小キャップ６４と同様に保持することが出来る。このマーカー差し２は、大小様々なキャップを保持し得る。このマーカー差し２は、汎用性に優れている。
【符号の説明】
【００４４】
２・・・マーカー差し
４・・・本体プレート
６・・・爪ガイド
８・・・爪本体
１０・・・爪基部
１２・・・ちょうナット
１４・・・マーカーガイド
１６・・・ベルト通し
１８・・・主部
２０・・・底部
２２・・・一端部
２４・・・他端部
２６・・・ベルト通し孔
２８・・・一端部
３０・・・他端部
３２・・・ガイド部品
３４・・・ガイド基部
３６・・・爪孔
３８・・・内周面
４０・・・ガイド溝
４２・・・底面
４４・・・側面
４６・・・マーカー孔
４８・・・内周面
５０・・・板
５２・・・雄ねじ
５３・・・外側面
５４・・・爪
５６・・・先端
５８・・・両端
６０・・・マーカー
６２・・・マーカー本体
６４・・・小キャップ
６６・・・大キャップ
６８・・・調整機構  
【図１】
0003152816.tif 000003
【図２】
0003152816.tif 000004
【図３】
0003152816.tif 000005
【図４】
0003152816.tif 000006
【図５】
0003152816.tif 000007
【図６】
0003152816.tif 000008